(57)【要約】      （修正有）【課題】画像形成部や投影光学部などの光学要素を設置面に対して垂直な方向に沿って配置する場合に設置面に垂直な面を構成する部材に強度を要求しない画像投影装置を提供する。【解決手段】光源部と、光源部からの光を用いて画像を形成する画像形成部と、画像形成部に設けられ、画像形成部の熱を放熱する放熱部（ヒートシンク）とを備え、画像形成部で形成された画像を投影する画像投影装置において、第１の部材（ベース部材）５３との間に空間を隔てて画像形成部を保持する脚部２９を有し、脚部２９は、放熱部が空間内に位置し且つ第１の部材５３に接触しないように、画像形成部を保持している。【選択図】図１３
2015121811.tif 000002
【特許請求の範囲】
【請求項１】
光源部と、前記光源部からの光を用いて画像を形成する画像形成部と、前記画像形成部に設けられ、前記画像形成部の熱を放熱する放熱部とを備え、前記画像形成部で形成された画像を投影する画像投影装置において、
当該装置本体を設置面に設置すべく、当該設置面に対向する第１の部材と、
前記第１の部材の前記設置面側と反対側であって、前記第１の部材との間に空間を隔てて前記画像形成部を保持する脚部とを有し、
前記脚部は、前記放熱部が前記空間内に位置し且つ前記第１の部材に接触しないように、前記画像形成部を保持していることを特徴とする画像投影装置。
【請求項２】
請求項１の画像投影装置において、
前記放熱部から前記光源部に空気を導く流路を備え
前記放熱部は前記流路内を流れる空気に接するように配置され、
前記脚部は前記流路内を流れる空気に接しないように配置されている
ことを特徴とする画像投影装置。
【請求項３】
請求項１または２の画像投影装置において、
前記画像形成部で形成された画像の投影像を形成する投影光学部を備え、
前記設置面側から、前記放熱部、前記画像形成部、前記投影光学部の順に配置され、
前記脚部は、前記画像形成部と前記投影光学部とを保持することを特徴とする画像投影装置。
【請求項４】
請求項３の画像投影装置において、
前記画像形成部に前記投影光学部が位置決め固定されるものであり、
前記脚部を、前記画像形成部に設けたことを特徴とする画像投影装置。
【請求項５】
請求項２から４のいずれかの画像投影装置において、
前記流路に空気を送って、前記放熱部から前記光源部に向かう空気の流れを生じさせる送風手段を設けたことを特徴とする画像投影装置。
【請求項６】
請求項１乃至５いずれかの画像投影装置において、
前記光源、前記画像形成部および前記投影光学部を、投影画像の面と平行な方向に並べて配置したことを特徴とする画像投影装置。
【発明の詳細な説明】
【技術分野】
【０００１】
本発明は、画像投影装置に関するものである。
【背景技術】
【０００２】
従来から、パソコンなどからの画像データに基づいて画像を生成する画像生成素子としてのＤＭＤ（Digital Mirror Device）と、この画像生成素子に光源からの光を照射する照射ユニットとからなる画像形成部を備え、画像形成部で画像を形成し、画像形成部によって形成された画像を、投影光学部を用いて投影面に結像させる画像投影装置が知られている（例えば、特許文献１）。
【０００３】
具体的には、ＤＭＤの画像生成面に対して平行に進む光源からの光を、折り返しミラーなどの照明光学系でＤＭＤの画像生成面に向けて折り返して、ＤＭＤの画像生成面に照射する。ＤＭＤの画像生成面には、可動式の複数のマイクロミラーが格子状に配列されている。各マイクロミラーは鏡面をねじれ軸周りに所定角度傾斜させることができ、「ＯＮ」と「ＯＦＦ」の２つの状態を持たせることができる。マイクロミラーが「ＯＮ」のときは、光源からの光を投影光学部に向けて反射し、「ＯＦＦ」のときは、光源からの光を、装置内部に設けた光吸収体に向けて反射する。従って、各ミラーを個別に駆動することにより、画像データの画素ごとに光の投影を制御することができ、画像を生成することができる。ＤＭＤにより生成された画像は、投影光学部を通って、投影面に結像される。
【発明の概要】
【発明が解決しようとする課題】
【０００４】
本出願人は、装置本体が設置される面である装置本体の設置面、例えば、机上や壁面や天井に対して垂直な方向に沿って構成要素が並ぶように配置して、投影面に投影された投影画像の面に対して直交する方向の長さを短くした画像投影装置を開発中である。投影光学部と画像形成部が、装置本体の設置面に対して垂直の方向に沿って連結して配置され、画像形成素子および画像形成部に放熱部を備える場合、画像形成部は、当該装置本体が設置される設置面と対向する部材と画像形成部との間に放熱部を配置し、且つ放熱部を設置面と対向する部材に接しないようにさせるという要求が生じる。
【０００５】
設置面に対して垂直な方向に沿って連結して配置された画像形成部および投影光学部を、画像形成部の放熱部が装置本体の設置面と対向する部材に接しないように、支持する方法としては、従来からされてきたように、画像形成部と投影光学部がともに対向する面に固定することが考えられる。つまり、装置本体の設置面に垂直な面を構成する部材に対して画像形成部および投影光学部を固定することが考えられる。この場合、例えば、装置本体の設置面に垂直な面を構成する部材にネジ受けなどの支持部を設け、この支持部に画像形成部および投影光学部を固定することで、画像形成部および投影光学部の重量を、装置本体の設置面に垂直な面を構成する部材で受ける構成となる。
【０００６】
しかしながら、この場合は、装置本体の設置面に垂直な面を構成する部材に設けた支持部には、画像形成部および投影光学部の重量によって装置本体の設置面に垂直な面を構成する部材に曲げモーメントがかかるので、装置本体の設置面に垂直な面を構成する部材に強度が要求される。装置本体の設置面に垂直な面を構成する部材の強度を増すために、装置本体の設置面に垂直な面を構成する部材の厚みを厚くしたり、リブを設けたりする必要があり、装置本体の設置面に垂直な面を構成する部材の材料費が嵩み、装置のコスト高に繋がるという不具合が生じる。
【０００７】
さらに、画像形成部および投影光学部を囲う複数装置本体の設置面に垂直な面を構成する部材のいずれかひとつに固定した場合、加重のバランスが悪くなり、画像投影装置が倒れやすくなる。このバランスの悪さに起因する画像投影装置の倒れやすさは、画像投影装置全体を重くすることで解消するが、画像投影装置を重くすると持ち運びの利便性が低下する。
【０００８】
本発明は以上の課題に鑑みなされたものであり、その目的は、画像形成部や投影光学部などの光学要素を装置本体の設置面に対して垂直な方向に配置する場合に設置面に垂直な面を構成する部材に強度を要求しない画像投影装置を提供することである。
【課題を解決するための手段】
【０００９】
上記目的を達成するために、請求項１の発明は、光源部と、前記光源部からの光を用いて画像を形成する画像形成部と、前記画像形成部に設けられ、前記画像形成部の熱を放熱する放熱部とを備え、前記画像形成部で形成された画像を投影する画像投影装置において、当該装置本体を設置面に設置すべく、当該設置面に対向する第１の部材と、前記第１の部材の前記設置面の反対側であって、前記第１の部材との間に空間を隔てて前記画像形成部を保持する脚部とを有し、前記脚部は、前記放熱部が前記空間内に位置し且つ前記第１の部材に接触しないように、前記画像形成部を保持していることを特徴とするものである。
【発明の効果】
【００１０】
請求項１の発明によれば、第１の部材の設置面の反対側であって、第１の部材との間に空間を隔てて画像形成部を保持する脚部は、前記放熱部が前記空間内に位置し且つ第１の部材に接触しないように、画像形成部を保持している。脚部にかかる画像形成部の重量は、脚部に対する軸力として働く。一般的に部材は、曲げモーメントに対する剛性よりも軸力に対する剛性が強いため、第１部材と脚部とによって画像形成部を保持するのに十分な剛性を容易に確保することができる。よって、請求項１の発明は、設置面に垂直な面に画像形成部を固定する構成に比べて、設置面に垂直な面の強度を配慮することなく、画像形成部と第１の部材との間に、放熱部を第１の部材に接しないように配置することが可能となる。
【図面の簡単な説明】
【００１１】
【図１】本実施形態に係るプロジェクタと投影面とを示す斜視図。
【図２】プロジェクタから投影面までの光路図。
【図３】プロジェクタの内部構成を示す概略斜視図。
【図４】光源ユニットの概略斜視図。
【図５】照明ユニットに収納された光学系部品を、他のユニットとともに示す斜視図。
【図６】照明ユニットと投影レンズユニットと画像形成ユニットとを図５のＡ方向から見た斜視図。
【図７】照明ユニット内での光の光路を説明する図。
【図８】画像形成ユニットの斜視図。
【図９】第１光学ユニットを、照明ユニットと画像形成ユニットとともに示す斜視図。
【図１０】図９のＡ−Ａ断面図。
【図１１】第２光学ユニットが保持する第２光学系を、投影レンズユニットと照明ユニットと画像形成ユニットとともに示す斜視図
【図１２】第２光学ユニットを、第１光学ユニット、照明ユニット、画像形成ユニットとともに示す斜視図。
【図１３】第１光学系から投影面までの光路を示す斜視図。
【図１４】装置内の各ユニットの配置関係を示した模式図。
【図１５】本実施形態のプロジェクタの使用例を示す図。
【図１６】従来のプロジェクタの使用例を示す図。
【図１７】図１６とは異なる従来のプロジェクタの使用例を示す図。
【図１８】本実施形態のプロジェクタの別の使用例を示す図。
【図１９】プロジェクタを設置面側見た斜視図。
【図２０】開閉カバー５４を装置から取り外した様子を示す斜視図。
【図２１】プロジェクタ内の空気の流れを説明する説明図。
【図２２】ＤＭＤなどを冷却する冷却部を、照明ユニットおよび光源ユニットともに示す斜視図。
【図２３】図２２の断面図。
【図２４】水平ダクトと光源ユニットとベース部材とを示す斜視図。
【図２５】水平ダクトから光源ブラケットへの空気の流れを、下側から見た図。
【図２６】水平ダクトから光源ブラケットへの空気の流れを、上側から見た斜視図。
【図２７】図２１で示した構成をより具体的に示した図。
【図２８】図２７のＡ−Ａ断面図。
【図２９】図２７のＢ−Ｂ断面図。
【図３０】図２７のＣ−Ｃ断面図。
【図３１】図２７のＤ−Ｄ断面図。
【図３２】図２７のＥ−Ｅ断面図。
【発明を実施するための形態】
【００１２】
以下、本発明が適用される画像投影装置としてのプロジェクタの実施形態について説明する。図１は、本実施形態に係るプロジェクタ１とスクリーンなどの投影面１０１とを示す斜視図である。なお、以下の説明では、投影面１０１の法線方向をＸ方向、投影面の短軸方向（上下方向）をＹ方向、投影面１０１の長軸方向（水平方向）をＺ方向とする。
図１に示すように、プロジェクタ１の上面には、投影画像Ｐが出射する透過ガラス５１が設けられており、透過ガラス５１から出射した投影画像Ｐが、スクリーンなどの投影面１０１に投影される。
また、プロジェクタ１の上面には、ユーザーがプロジェクタ１を操作するための操作部８３が設けられている。また、プロジェクタ１の側面には、ピント調整のためのフォーカスレバー３３が設けられている。
【００１３】
図２は、プロジェクタ１から投影面１０１までの光路図である。
プロジェクタ１は、光源を備えた不図示の光源ユニットと、光源からの光を用いて画像を形成する画像形成部Ａとを有している。画像形成部Ａは、画像形成素子としてのＤＭＤ１２（Digital Mirror Device）を備えた画像形成ユニット１０と、光源からの光を、折り返してＤＭＤ１２に照射して画像を生成する照明ユニット２０とで構成されている。また、画像を投影面１０１に投影するための投影光学部Ｂを有している。投影光学部Ｂは、屈折光学系を少なくとも一つ含み、正のパワーを有する共軸系の第１光学系７０を備えた第１光学ユニット３０と、折り返しミラー４１と正のパワーを有する曲面ミラー４２とを備えた第２光学ユニット４０とで構成されている。これら画像形成部Ａや投影光学部Ｂなどの光学要素を収納する容器を図１に示すように外装カバー５９とする。また、この外装カバー５９のうち、透過ガラス５１を備える面をカバー上面５９ａとし、投影面１０１に近い面をカバー前面５９ｂとし、投影面１０１から遠い面をカバー後面５９ｃとし、プロジェクタ１が設置される面である設置面に対向する第１の部材をベース部材５３とし、残りの面をカバー側面５９ｄとする。
【００１４】
ＤＭＤ１２は、不図示の光源の光が照明ユニット２０によって照射され、画像を生成する。ＤＭＤ１２によって生成された画像は、第１光学ユニット３０の第１光学系７０、第２光学ユニット４０の折り返しミラー４１、曲面ミラー４２を介して、投影面１０１に投影される。
【００１５】
図３は、プロジェクタ１の内部構成を示す概略斜視図である。
図３に示すように、画像形成ユニット１０、照明ユニット２０、第１光学ユニット３０、第２光学ユニット４０が、投影面と平行な方向であるＹ方向に並べて配置されている。また、照明ユニット２０の図中右側には、光源ユニット６０が配置されている。
【００１６】
なお、図３に示す符号３２ａ１、３２ａ２は、第１光学ユニット３０のレンズホルダー３２の脚部であり、符号２６２は、画像形成ユニット１０を照明ユニット２０にネジ止めするためのネジ止め部である。
【００１７】
次に、各ユニットの構造について、詳細に説明する。
【００１８】
まず、光源ユニット６０について説明する。
図４は、光源ユニット６０の概略斜視図である。
光源ユニット６０は、光源ブラケット６２を有しており、光源ブラケットの上部にハロゲンランプ、メタルハライドランプ、高圧水銀ランプなどの光源６１が装着さている。また、光源ブラケット６２には、電源ユニット８０（図１４参照）に接続された不図示の電源側コネクタと接続するコネクタ部６２ａが設けられている。
【００１９】
また、光源ブラケット６２の上部の光源６１の光出射側には、図示しないリフレクタなどが保持されたホルダ６４がネジ止めされている。ホルダ６４の光源６１配置側と反対側の面には、出射窓６３が設けられている。光源６１から出射した光は、ホルダに保持された不図示のリフレクタにより出射窓に集光され、出射窓６３から出射する。
【００２０】
また、ホルダ６４の上面と、ホルダの下面のＸ方向両端には、光源ユニット６０を照明ユニット２０の照明ブラケット２６（図６参照）に位置決めするため光源位置決め部６４ａ１〜６４ａ３が設けられている。ホルダ６４の上面に設けられた光源位置決め部６４ａ３は突起形状であり、ホルダ６４の下面に設けられた２つの光源位置決め部６４ａ１,６４ａ２は穴形状となっている。
【００２１】
また、ホルダ６４の上面を除く側面には、光源６１を冷却するための空気が流入する光源給気口６４ｂが設けられており、ホルダ６４の上面には、光源６１の熱により加熱された空気が排気される光源排気口６４ｃが設けられている。
【００２２】
光源ブラケット６２には、後述するように吸気ブロワ９１（図２１など参照）から吸気された空気が流入するダクト部６５が設けられている。また、ダクト部６５の図中手前側の空気流入側には、上記ダクト部６５へ流入する空気の一部を、光源ユニット６０と後述する開閉カバー５４（図７参照）との間に流すための開口部６５ａが設けられている。なお、光源ユニット６０の冷却については、後述する。
【００２３】
また、図４に示す光源位置決め突起６４ａ３が設けられた平面部６４ｄ２、光源位置決め穴６４ａ１,６４ａ２が設けられた平面部６４ｄ１は、後述するように、開閉カバーの押圧手段により押されたときに、照明ブラケットに突き当る突き当て部である。
【００２４】
次に、照明ユニット２０について説明する。
図５は、照明ユニット２０に収納された光学系部品を、他のユニットとともに示す斜視図である。
図５に示すように、照明ユニット２０は、カラーホイール２１、ライトトンネル２２、２枚のリレーレンズ２３、シリンダミラー２４、凹面ミラー２５を有しており、これらは、照明ブラケット２６に保持されている。照明ブラケット２６は、２枚のリレーレンズ２３、シリンダミラー２４、凹面ミラー２５が収納される筐体状の部分２６１を有しており、この筐体状の部分２６１の４つの側面部のうち、図中右側のみ側面を有し、他の３面は、開口した形状となっている。そして、図中Ｘ方向の奥側の側面部開口には、ＯＦＦ光板２７（図６参照）が取り付けられており、図中Ｘ方向手前側の側面部開口には、いずれの図面にも図示されていないカバー部材が取り付けられる。これにより、照明ブラケット２６の筐体状の部分２６１に収納される２枚のリレーレンズ２３、シリンダミラー２４、凹面ミラー２５は、照明ブラケット２６と、ＯＦＦ光板２７（図６参照）と、いずれの図面にも図示されていないカバー部材とにより覆われる。
【００２５】
また、照明ブラケット２６の筐体状の部分２６１の下面には、ＤＭＤ１２が露出するための照射用貫通孔２６ｄを有している。
【００２６】
また、照明ブラケット２６には、３つの脚部２９を有している。これら脚部２９は、プロジェクタ１のベース部材５３（図１９参照）に当接して、照明ブラケット２６に積み重ねて固定される第１光学ユニット３０、第２光学ユニット４０の重量を支持している。また、脚部２９を設けることにより、画像形成ユニット１０のＤＭＤ１２で発生する熱を放熱し、ＤＭＤ１２を冷却するための放熱部としてのヒートシンク１３（図６参照）に、後述するように、外気が流入するための空間を形成する。一般的に部材は、曲げモーメントに対する剛性よりも軸力に対する剛性が強いため、ベース部材５３と脚部２９とによって画像形成部Ａと投影光学部Ｂを支える十分な剛性を容易に確保することができる。よって、先の図１に示した外装カバー５９のカバー前面５９ｂやカバー後面５９ｃもしくはカバー側面５９ｄに画像形成部Ａと投影光学部Ｂを固定する構成に比べて、カバー前面５９ｂやカバー後面５９ｃもしくはカバー側面５９ｄの強度を配慮することなく、画像形成部Ａとベース部材５３との間にヒートシンク１３を配置することが可能となる。３つの脚部２９のうちの２つである脚部２９ｂは、照明ブラケット２６のカバー後面５９ｃに近い辺の両端に１つずつ設けられている。また、３つの脚部２９のうちの残りの１つである脚部２９ａは、照明ブラケット２６のカバー前面５９ｂに近い辺に設けられている。３つの脚部２９をこのように配置することで、曲面ミラー４２による画像形成部Ａと投影光学部Ｂのバランスの悪さを解消することができる。
【００２７】
なお、図５に示す符号３２ａ３、３２ａ４は、第１光学ユニット３０のレンズホルダー３２の脚部であり、符号４５ａ３は、第２光学ユニット４０のネジ止め部４５ａ３である。
【００２８】
図６は、照明ユニット２０と投影レンズユニット３１と画像形成ユニット１０とを図５のＡ方向から見た斜視図である。
照明ブラケット２６の筐体状の部分２６１の上部には、図中Ｙ方向に対して直交する上面２６ｂが設けられている。この上面２６ｂの４角には、第１光学ユニット３０をネジ止めするためのネジが貫通する貫通孔が設けられている（図６では、貫通孔２６ｃ１と２６ｃ２とが図示されており、残りの貫通孔については、不図示）。また、図中Ｘ方向手前側の貫通孔２６ｃ１,２６ｃ２に隣接して、第１光学ユニット３０を照明ユニット２０に位置決めするための位置決め孔２６ｅ１,２６ｅ２が設けられている。図中Ｘ方向手前側に設けられた２個の位置決め孔のうち、カラーホイール２１配置側の位置決め孔２６ｅ１は、位置決めの主基準であり、丸穴形状となっており、カラーホイール２１配置側と反対側の位置決め孔２６ｅ２は、位置決めの従基準であり、Ｚ方向に延びる長穴となっている。また、各貫通孔２６ｃ１,２６ｃ２の周囲は、照明ブラケット２６の上面２６ｂよりも突出しており、第１光学ユニット３０をＹ方向に位置決めするための位置決め突起２６ｆとなっている。位置決め突起２６ｆを設けずに、Ｙ方向の位置精度を高める場合、照明ブラケット２６の上面全体の平面度を高める必要があり、コスト高になる。一方、位置決め突起２６ｆを設けることで、位置決め突起２６ｆの部分だけ、平面度を高めればよいので、コストを抑えて、Ｙ方向の位置精度を高めることができる。
【００２９】
また、照明ブラケット２６上面の開口部には、投影レンズユニット３１の下部が嵌合する遮光板２６２が設けられており、上方から筐体状の部分２６１内への光の進入を防いでいる。
【００３０】
また、照明ブラケット２６の上面２６ｂの貫通孔２６ｃ１,２６ｃ２の間は、後述するように、第２光学ユニット４０を、第１光学ユニット３０にネジ止めする際に邪魔とならないように切り欠いている。
【００３１】
照明ブラケット２６のカラーホイール２１側端部（図中Ｚ方向手前側）には、前述の光源ユニット６０のホルダ６４上面に設けられた突起状の光源位置決め部６４ａ３（図４参照）が嵌合する上下方向に貫通孔が形成された筒状の光源被位置決め部２６ａ３が設けられている。また、この光源被位置決め部２６ａ３の下方には、ホルダ６４の光源ブラケット６２側に設けられた２つの穴形状の光源位置決め部６４ａ１,６４ａ２が嵌合する突起状の２個の光源被位置決め部２６ａ１,２６ａ２が設けられている。そして、ホルダ６４の３つの光源位置決め部６４ａ１〜６４ａ３が、照明ユニット２０の照明ブラケット２６に設けられた３箇所の光源被位置決め部２６ａ１〜２６ａ３に嵌合することで、光源ユニット６０は、照明ユニット２０に位置決め固定される（図３参照）。
【００３２】
また、照明ブラケット２６には、カラーホイール２１、ライトトンネル２２を覆う、照明カバー２８が取り付けられている。
【００３３】
図７は、照明ユニット２０内での光の光路Ｌを説明する図である。
カラーホイール２１は、円盤形状のものであり、カラーモータ２１ａのモータ軸に固定されている。カラーホイール２１には、回転方向にＲ（レッド）、Ｇ（グリーン）、Ｂ（ブルー）などのフィルタが設けられている。光源ユニット６０のホルダ６４に設けられた不図示のリフレクタにより集光された光は、出射窓６３を通って、カラーホイール２１の周端部に到達する。カラーホイール２１の周端部に到達した光は、カラーホイール２１の回転により時分割でＲ、Ｇ，Ｂの光に分離される。
【００３４】
カラーホイール２１により分離された光は、ライトトンネル２２へ入射する。ライトトンネル２２は、四角筒形状であり、その内周面が鏡面となっている。ライトトンネル２２に入射した光は、ライトトンネル２２内周面で複数回反射しながら、均一な面光源にされてリレーレンズ２３へ向けて出射する。
【００３５】
ライトトンネル２２を抜けた光は、２枚のリレーレンズ２３を透過し、シリンダミラー２４、凹面ミラー２５により反射され、ＤＭＤ１２の画像生成面上に集光して結像される。
【００３６】
次に、画像形成ユニット１０について、説明する。
図８は、画像形成ユニット１０の斜視図である。
図８に示すように画像形成ユニット１０は、ＤＭＤ１２が装着されるＤＭＤボード１１を備えている。ＤＭＤ１２は、マイクロミラーが格子状に配列された画像生成面を上向きにしてＤＭＤボード１１に設けられたソケット１１ａに装着されている。ＤＭＤボード１１には、ＤＭＤミラーを駆動するための駆動回路などが設けられている。ＤＭＤボード１１の裏面（ソケット１１ａが設けられた面と反対側の面）には、ＤＭＤ１２を冷却するための冷却手段としてのヒートシンク１３が固定されている。ＤＭＤボード１１のＤＭＤ１２が装着される箇所は、貫通しており、ヒートシンク１３には、この不図示の貫通孔に挿入される突起部１３ａ（図７参照）が形成されている。この突起部１３ａの先端は、平面状になっている。突起部１３ａを不図示の貫通孔に挿入して、ＤＭＤ１２の裏面（画像生成面と反対側の面）に突起部１３ａ先端の平面部を当接させている。この平面部やＤＭＤ１２の裏面のヒートシンク１３が当接する箇所に弾性変形可能な伝熱シートを貼り付けて、突起部１３ａの平面部とＤＭＤ１２の裏面との密着性を高めて、熱伝導性を高めてもよい。
【００３７】
ヒートシンク１３は、固定部材１４により、ＤＭＤボード１１のソケット１１ａが設けられた面と反対側の面に加圧されて固定される。固定部材１４は、ＤＭＤボード１１の裏面の図中右側の部分に対向する板状の固定部１４ａと、ＤＭＤボード１１の裏面の図中左側の部分に対向する板状の固定部１４ａとを有している。各固定部のＸ方向一端付近と他端付近とには、左右の固定部を連結するように設けられた押圧部１４ｂを有している。
【００３８】
ヒートシンク１３は、画像形成ユニット１０を照明ブラケット２６（図６参照）にネジ止めすると、固定部材１４により、ＤＭＤボード１１のソケット１１ａが設けられた面と反対側の面に加圧されて固定される。
【００３９】
以下に、画像形成ユニット１０の照明ブラケット２６の固定について、説明する。まず、ＤＭＤ１２が、先の図５で示した照明ユニット２０の照明ブラケット２６下面に設けられた照射用貫通孔２６ｄの開口面と対向するように画像形成ユニット１０を、照明ブラケット２６に位置決めする。次に、固定部１４ａに設けられた不図示の貫通孔と、ＤＭＤボード１１の貫通孔１５とを貫通するように図中下側からネジを挿入し、ネジを照明ブラケット２６に設けられたネジ止め部２６２（図３参照）の下面に設けられたネジ穴にねじ込んで、画像形成ユニット１０を照明ブラケット２６に固定する。また、照明ブラケット２６に設けられたネジ止め部２６２にネジをねじ込んでいくと、押圧部１４ｂが、ヒートシンク１３をＤＭＤボード側押圧していく。これにより、ヒートシンク１３が、固定部材１４により、ＤＭＤボード１１のソケット１１ａが設けられた面と反対側の面に加圧されて固定される。
【００４０】
このように、画像形成ユニット１０は、照明ブラケット２６に固定され、先の図５に示した３つの脚部２９は、画像形成ユニット１０の重量も支持している。
【００４１】
ＤＭＤ１２の画像生成面には、可動式の複数のマイクロミラーが格子状に配列されている。各マイクロミラーは鏡面をねじれ軸周りに所定角度傾斜させることができ、「ＯＮ」と「ＯＦＦ」の２つの状態を持たせることができる。マイクロミラーが「ＯＮ」のときは、先の図７の矢印Ｌ２に示すように、光源６１からの光を第１光学系７０（図２参照）に向けて反射する。「ＯＦＦ」のときは、先の図６に示す照明ブラケット２６の側面に保持されたＯＦＦ光板２７に向けて光源６１からの光を反射する（図７の矢印Ｌ１参照）。従って、各ミラーを個別に駆動することにより、画像データの画素ごとに光の投影を制御することができ、画像を生成することができる。
【００４２】
不図示のＯＦＦ光板２７に向けて反射された光は、熱となって吸収され外側の空気の流れで冷却される。
【００４３】
次に、第１光学ユニット３０について、説明する。
図９は、第１光学ユニット３０を、照明ユニット２０と画像形成ユニット１０とともに示す斜視図である。
図９に示すように、第１光学ユニット３０は、照明ユニット２０の上方に配置されており、複数のレンズで構成された第１光学系７０（図２参照）を保持した投影レンズユニット３１と、この投影レンズユニット３１を保持するレンズホルダー３２とを有している。レンズホルダー３２には、下方へ延びる４つの脚部３２ａ１〜３２ａ４が設けられており（図９には、脚部３２ａ２,３２ａ３のみ図示されている。脚部３２ａ１は、図３参照、脚部３２ａ４は、図５参照）、各脚部３２ａ１〜３２ａ４の底面には、照明ブラケット２６にねじ止めされるためのネジ穴が形成されている。
【００４４】
また、投影レンズユニット３１には、フォーカスギヤ３６が設けられており、フォーカスギヤ３６には、アイドラギヤ３５が噛み合っている。アイドラギヤ３５には、レバーギヤ３４が噛み合っており、レバーギヤ３４の回転軸には、フォーカスレバー３３が固定されている。フォーカスレバー３３の先端部分は、先の図１に示すように、装置本体から露出している。
【００４５】
フォーカスレバー３３を動かすと、レバーギヤ３４、アイドラギヤ３５を介して、フォーカスギヤ３６が回動する。フォーカスギヤ３６が回動すると、投影レンズユニット３１内の第１光学系７０を構成する複数のレンズが、それぞれ所定の方向へ移動し、投影画像のピントが調整される。
【００４６】
また、レンズホルダー３２には、４箇所、第２光学ユニット４０を第１光学ユニット３０にネジ止めするためのネジ４８が貫通するネジ貫通孔３２ｃ１〜３２ｃ３を有している（図９では、３個のネジ貫通孔が図示されており、各ネジ貫通孔３２ｃ１〜３２ｃ３には、ネジ４８を貫通させた様子が示されており、図で見えているのは、ネジ４８のネジ部の先端側である。）。また、各ネジ貫通孔３２ｃ１〜３２ｃ４の周囲は、レンズホルダー３２の面から突出した第２光学ユニット位置決め突起３２ｄ１〜３２ｄ３が形成されている（図９では、３２ｄ１〜３２ｄ３が図示されている）。
【００４７】
図１０は、図９のＡ−Ａ断面図である。
図１０に示すように、脚部３２ａ１,３２ａ２には、被位置決め突起３２ｂ１,３２ｂ２が、設けられている。そして、図中右側の被位置決め突起３２ｂ１は、照明ブラケット２６の上面２６ｂに設けられた位置決めの主基準である丸穴形状の位置決め孔２６ｅ１に、図中左側の被位置決め突起３２ｂ２は、位置決めの従基準である長穴形状の位置決め孔２６ｅ２にそれぞれ挿入されて、Ｚ軸方向、Ｘ軸方向の位置決めがなされる。そして、照明ブラケット２６上面２６ｂに設けられた貫通孔２６ｃ１〜２６ｃ４にネジ３７を挿入し、レンズホルダー３２の各脚部３２ａ１〜３２ａ４に設けられたネジ穴にネジ３７をねじ止めすることで、第１光学ユニット３０が照明ユニット２０に位置決め固定される。
【００４８】
投影レンズユニット３１のレンズホルダー３２よりも上部側は、後述する第２光学ユニットのミラーホルダー４５（図１２参照）により覆われている。なお、先の図３に示すように、投影レンズユニット３１のレンズホルダー３２よりも下部側のレンズホルダー３２と照明ユニット２０の照明ブラケット２６の上面２６ｂとの間の部分は、露出しているが、投影レンズユニット３１は、レンズホルダー３２と嵌合しているため、この露出部から、画像の光路へ光が入り込むことはない。
【００４９】
次に、第２光学ユニット４０について説明する。
図１１は、第２光学ユニット４０が備える第２光学系を、投影レンズユニット３１と照明ユニット２０と画像形成ユニット１０とともに示す斜視図である。
図１１に示すように、第２光学ユニット４０は、第２光学系を構成する折り返しミラー４１と、凹面状の曲面ミラー４２とを備えている。曲面ミラー４２の光を反射する面は、球面、回転対称非球面、自由曲面形状などにすることができる
【００５０】
図１２は、第２光学ユニット４０を、第１光学ユニット３０、照明ユニット２０、画像形成ユニット１０とともに示す斜視図である。
図１２に示すように、第２光学ユニット４０は、曲面ミラー４２から反射した画像を透過するとともに、装置内の光学系部品を防塵するための透過ガラス５１も備えている。
【００５１】
第２光学ユニット４０は、折り返しミラー４１と透過ガラス５１とを保持するミラーブラケット４３と、曲面ミラー４２を保持する自由ミラーブラケット４４と、ミラーブラケット４３および自由ミラーブラケット４４が取り付けられるミラーホルダー４５とを有している。
【００５２】
ミラーホルダー４５は、箱型の形状をしており、上面、下面および図中Ｘ方向奥側が開口しており、上から見たとき、略コの字状の形状をしている。ミラーホルダー４５の上部開口のＺ方向手前側と奥側とのそれぞれでＸ方向に延びる縁部は、図中Ｘ方向手前側端部からＸ方向奥側へ行くにつれて、上昇するように傾斜した傾斜部と、図中Ｘ方向と平行な平行部とで構成されており、傾斜部が、平行部より図中Ｘ方向手前側にある。また、ミラーホルダー４５の上部開口の図中Ｘ方向手前側のＺ方向に延びる縁部は、図中Ｚ方向と平行になっている。
【００５３】
ミラーブラケット４３は、ミラーホルダー４５の上部に取り付けられる。ミラーブラケット４３は、ミラーホルダー４５の上部開口縁部の傾斜部と当接する図中Ｘ方向手前側端部からＸ方向奥側へ行くにつれて、上昇するように傾斜した傾斜面４３ａと、ミラーホルダー４５の上部開口部縁部の平行部と当接するＸ方向に平行な平行面４３ｂとを有している。傾斜面４３ａと平行面４３ｂとは、それぞれ開口部を有しており、傾斜面４３ａの開口部を塞ぐように、折り返しミラー４１が保持されており、平行面４３ｂの開口部を塞ぐように透過ガラス５１が保持されている。
【００５４】
折り返しミラー４１は、板バネ状のミラー押さえ部材４６によりＺ方向両端が、ミラーブラケット４３の傾斜面４３ａに押し付けられることにより、ミラーブラケット４３の傾斜面４３ａに位置決め保持されている。折り返しミラー４１のＺ方向の一方側端部には、２個のミラー押さえ部材４６により固定されており、他方側端部には、１個のミラー押さえ部材４６により固定されている。
【００５５】
透過ガラス５１は、Ｚ方向両端が、板バネ状のガラス押さえ部材４７によりミラーブラケット４３の平行面４３ｂに押し付けられることにより、ミラーブラケット４３に位置決め固定されている。透過ガラス５１は、Ｚ方向両端それぞれ１個のガラス押さえ部材４７により保持されている。
【００５６】
曲面ミラー４２を保持する自由ミラーブラケット４４は、図中Ｘ方向奥側から手前側へ向けて下降するように傾斜した腕部４４ａをＺ軸方向手前側と奥側とに有している。また、自由ミラーブラケット４４は、腕部４４ａの上部でこれら二つの腕部を連結する連結部４４ｂを有している。自由ミラーブラケット４４は、ミラーホルダー４５の図中Ｘ方向奥側の開口を曲面ミラー４２が覆うように、腕部４４ａがミラーホルダー４５に取り付けられている。
【００５７】
曲面ミラー４２は、透過ガラス５１側端部の略中央部が、板バネ状の自由ミラー押さえ部材４９により自由ミラーブラケット４４の連結部４４ｂに押し付けられ、第１光学系側の図中Ｚ軸方向両端が、ネジにより自由ミラーブラケット４４の腕部４４ａに固定されている。
【００５８】
第２光学ユニット４０は、第１光学ユニット３０のレンズホルダー３２に積載固定される。具体的には、ミラーホルダー４５の下部には、レンズホルダー３２の上面と対向する下面４５１が設けらており、この下面４５１には、第１光学ユニット３０にネジ止めするための筒状形状のネジ止め部４５ａ１〜４５ａ３が４箇所、形成されている（ネジ止め部４５ａ１、４５a２は、図１１参照。ネジ止め部４５ａ３は、図５参照、残りのネジ止め部は、不図示）。第２光学ユニット４０は、第１光学ユニット３０のレンズホルダー３２に設けられた各ネジ貫通孔３２ｃ１〜３２ｃ３にネジ４８を貫通させ、各ネジ止め部４５ａ１〜４５ａ３にネジ４８をネジ止めすることにより、第１光学ユニット３０にネジ止めされる。このとき、第２光学ユニット４０のミラーホルダー４５の下面が、レンズホルダー３２の第２光学ユニット位置決め突起３２ｄ１〜３２ｄ４と当接して、第２光学ユニット４０は、Ｙ方向に位置決めされて固定される。
【００５９】
第２光学ユニット３０を第１光学ユニット３０レンズホルダー３２に積載固定すると、先の図９に示すように、投影レンズユニット３１のレンズホルダー３２よりも上部の部分が、第２光学ユニット４０のミラーホルダー４５内に収納される。また、第２光学ユニット４０を、レンズホルダー３２に積載固定したとき、曲面ミラー４２とレンズホルダー３２との間には、隙間があり、その隙間にアイドラギヤ３５（図９参照）入り込んでいるような形となる。
【００６０】
図１３は、第１光学系７０から投影面１０１（スクリーン）までの光路を示す斜視図である。
第１光学系７０を構成する投影レンズユニット３１を透過した光束は、折り返しミラー４１と曲面ミラー４２との間で、ＤＭＤ１２で生成された画像に共役な中間像を形成する。この中間像は、折り返しミラー４１と曲面ミラー４２との間に曲面像として結像される。次に、画像は、凹面状の曲面ミラー４２に入射し、曲面ミラー４２により中間像を「さらに拡大した画像」にして投影面１０１に投影結像する。
【００６１】
このように、投影光学部を、第１光学系７０と、第２光学系とで構成し、第１光学系７０と第２光学系の曲面ミラー４２との間に中間像を形成し、曲面ミラー４２で拡大投影することで、投影距離を短くでき、狭い会議室などでも使用することができる。
【００６２】
また、図１３に示すように、照明ブラケット２６には、第１光学ユニット３０、第２光学ユニット４０が積載固定される。また、画像形成ユニット１０も固定される。よって、照明ブラケット２６の脚部２９が、第１光学ユニット３０、第２光学ユニット４０および画像形成ユニット１０の重量を支える形でベース部材５３に固定される。
【００６３】
図１４は、装置内の各ユニットの配置関係を示した模式図である。
図に示すように、画像形成ユニット１０、照明ユニット２０、第１光学ユニット３０、第２光学ユニット４０は、投影面の短軸方向であるＹ方向に積層配置されており、光源ユニット６０は、画像形成ユニット１０、照明ユニット２０、第１光学ユニット３０、第２光学ユニット４０が積層された積層体に対して投影面の長軸方向であるＺ方向に配置されている。このように、本実施形態においては、画像形成ユニット１０、照明ユニット２０、第１光学ユニット３０、第２光学ユニット４０および光源ユニットが、投影画像および投影面１０１に対して平行な方向であるＹ方向またはＺ方向に並べて配置されている。さらに具体的には、画像形成ユニット１０と照明ユニット２０とからなる画像形成部Ａと、第１光学ユニット３０と第２光学ユニット４０とからなる投影光学部Ｂとが積層された方向に対して直交する方向に光源ユニット６０が画像形成部Ａに連結されている。また、画像形成部Ａと光源ユニット６０とは、ベース部材５３に平行な同一の直線上に配置されている。また、画像形成部Ａと投影光学部Ｂとは、ベース部材５３に垂直な同一の直線上に配置され、ベース部材５３側から、画像形成部Ａ、投影光学部Ｂの順番で配置されている。
【００６４】
また、本実施形態においては、光源ユニット６０の上方に、光源６１やＤＭＤ１１に電力を供給するための電源ユニット８０が積層配置されている。これら光源ユニット６０、電源ユニット８０、画像形成部Ａ、投影光学部Ｂは、上述のプロジェクタのカバー上面５９ａと、ベース部材５３と、プロジェクタ１の周囲を覆う後述の外装カバー５９からなるプロジェクタ１の容器に収納されている。
【００６５】
図１５は、本実施形態のプロジェクタ１の使用例を示す図であり、図１６、図１７は、従来のプロジェクタ１Ａの使用例を示す図である。
図１５〜図１７に示すように、プロジェクタ１は、例えば会議室などで使用する場合、プロジェクタ１をテーブル１００に置いてホワイトボードなどの投影面１０１に画像を投影して使用される。
【００６６】
図１６に示すように、従来のプロジェクタ１Ａは、ＤＭＤ１２（画像生成素子）、照明ユニット２０、第１光学系７０、第２光学系（曲面ミラー４２）が、投影面１０１に投影された投影画像の面に対して直交する方向に直列に並べて配置されている。よって、プロジェクタ１Ａの投影面１０１に対して直交する方向（Ｘ方向）に長くなり、プロジェクタ１Ａが、投影面１０１に対して直交する方向にスペースをとってしまう。投影面１０１に投影された投影画像Ｐを見る人が座る椅子や、使用する机は、一般的に投影面１０１に対して直交する方向に配置するため、プロジェクタ１が、投影面１０１に対して直交する方向にスペースを取ると、それだけ、椅子の配置スペースや机の配置スペースが制限されて、利便性が悪い。
【００６７】
図１７に示すプロジェクタ１Ｂは、ＤＭＤ１２（画像形成素子）、照明ユニット２０、第１光学系７０が、投影面１０１に投影された投影画像Ｐの面と平行に直列に並べて配置されている。よって、図１８に示すプロジェクタ１Ｂに比べて、投影面１０１に対して直交する方向の長さを短くすることができる。しかしながら、図１７に示すプロジェクタ１Ｂは、光源６１が、照明ユニット２０に対して投影画像の面に対して直交する方向に配置されているため、プロジェクタの投影面１０１に対して直交する方向の長さを十分に短くすることができない。
【００６８】
一方、図１５に示す本実施形態のプロジェクタ１においては、画像形成ユニット１０と照明ユニット２０とからなる画像形成部Ａ、および第１光学ユニット３０と折り返しミラー４１とからなる投影光学部Ｂとを、投影面１０１および投影面１０１に投影された投影画像の像面に対して平行な方向のうち図中Ｙ方向に直列に並べて配置している。また、光源ユニット６０と、照明ユニット２０とが、投影面１０１に投影された投影画像の面に対して平行な方向のうち図中Ｚ方向に直列に並べて配置している。すなわち、本実施形態のプロジェクタ１は、光源ユニット６０、画像形成ユニット１０、照明ユニット２０および第１光学ユニット３０と、折り返しミラー４１とは、投影面１０１に投影された投影画像の面に対して平行な方向（図中Ｚ方向またはＹ方向）に配置された構造となっており、光源ユニット６０、画像形成ユニット１０、照明ユニット２０および第１光学ユニット３０と、折り返しミラー４１のそれぞれが投影面および投影画像の像面に平行な面に交差するように配置されているのである。このように、光源ユニット６０、画像形成ユニット１０、照明ユニット２０および第１光学ユニット３０と、折り返しミラー４１とを、投影面１０１に投影された投影画像の面に対して平行な方向（図中Ｚ方向またはＹ方向）に配置したので、図１５に示すように、図１６や図１７に示したプロジェクタに比べて投影面１０１に対して直交する方向（図中Ｘ方向）の長さを短くすることができる。これにより、プロジェクタ１が椅子の配置スペースや机の配置スペースの阻害となるのを抑制することができ、利便性の高いプロジェクタ１を提供することができる。
【００６９】
また、本実施形態においては、先の図１４に示すように、光源ユニット６０の上方に、光源６１やＤＭＤ１１に電力を供給するための電源ユニット８０が積層配置されている。これにより、プロジェクタ１のＺ方向も短くなっている。
【００７０】
図１８は、本実施形態のプロジェクタ１の別の使用例について説明する図である。
図１８に示すように、本実施形態のプロジェクタ１は、天井１０５に吊り下げて使用することもできる。この場合も、本実施形態のプロジェクタ１は、投影面１０１に対して直交する方向に短いので、天井１０５にプロジェクタ１を設置する際、天井１０５に配置された照明器具１０６に干渉することなく、設置することができる。
【００７１】
また、本実施形態においては、第２光学系を折り返しミラー４１と曲面ミラー４２とで構成しているが、第２光学系を曲面ミラー４２のみで構成してもよい。また、折り返しミラー４１は、平面ミラーでも正の屈折力を持ったミラーでも負の屈折力を持ったミラーでもよい。また、本実施形態においては、曲面ミラー４２として凹面ミラーを用いているが、凸面ミラーを用いることもできる。この場合は、第１光学系７０と曲面ミラー４２との間で中間像を形成しないように第１光学系７０を構成する。
【００７２】
光源６１は、経時使用で寿命を迎えるので、定期的な交換が必要である。このため、本実施形態においては、光源ユニット６０は、装置本体から着脱可能に設けられている。
【００７３】
図１９は、プロジェクタ１の設置面側を見た斜視図である。
図１９に示すように、プロジェクタ１の底面を構成するベース部材５３には、開閉カバー５４が設けられており、開閉カバー５４には、回転操作部５４ａが設けられている。回転操作部５４ａを回転すると、開閉カバー５４と装置本体との固定が解除され、開閉カバー５４が、装置本体から取り外し可能となる。また、ベース部材５３の開閉カバー５４のＸ方向に隣接する箇所には、電源吸気口５６が設けられている。
【００７４】
また、図１９に示すように、プロジェクタ１の外装カバー５９の一方のＹ−Ｘ平面には、吸気口８４と、パソコンなどの外部装置からの画像データなどが入力される外部入力部８８が設けられている。
【００７５】
図２０は、開閉カバー５４を装置から取り外した様子を示す斜視図である。
開閉カバー５４を取り外すと、図２０に示すように、光源ユニット６０の光源ブラケット６２の光源６１が装着された側と反対側の面が露出する。光源ブラケット６２には、取っ手部６６が、光源ブラケット６２に対して図中点線で示すＯ１を回転中心にして回動自在に取り付けられている。
【００７６】
光源ユニット６０を装置本体から取り出すときは、取っ手部６６を回動させて取っ手部６６を掴んで図中手前側へ引き出すことで、光源ユニット６０は、装置本体の開口部から取り外される。光源ユニット６０を装置本体に装着するときは、装置本体の開口部から光源ユニット６０を挿入する。光源ユニット６０を装置本体への挿入していくと、先の図４に示したコネクタ部６２ａが装置本体の不図示の電源側コネクタと接続し、同図に示したホルダ６４の３つの光源位置決め部６４ａ１〜６４ａ３が、先の図６に示した照明ユニット２０の照明ブラケット２６に設けられた３つの光源被位置決め部２６ａ１〜２６ａ３に嵌合し、光源ユニット６０が装置本体に位置決めされ、光源ユニット６０の装着が完了する。そして、開閉カバー５４をベース部材５３に取り付ける。本実施形態においては、光源ユニット６０に取って部６６を設けているが、図２０に示すように、開閉カバー５４側へ突出して設けられたダクト部６５を取っ手部としてもよい。
【００７７】
また、ベース部材５３には、３箇所脚部５５が設けられており、この脚部５５を回転させることで、ベース部材５３からの突出量が変更され、高さ方向（Ｙ方向）の調整を行うことができるようになっている。
【００７８】
また、図２０に示すように、外装カバー５９の他方のＹ−Ｘ平面には、排気口８５が設けられている。
【００７９】
図２１は、本実施形態のプロジェクタ１内の空気の流れを説明する説明図である。この図は、プロジェクタ１を投影面１０１に対して直交する方向（Ｘ方向）から見た図である。図２７には、本実施の形態における図２１の各符号に対応する構成に番号が付いている。図２１および図２７において、図中の矢印は空気の流れる方向を示している。図２８は、図２７のＡ−Ａ断面図、図２９は、図２７のＢ−Ｂ断面図である。図３０は、図２７のＣ−Ｃ断面図である。図３０は、図２７のＤ−Ｄ断面図である。図３０は、図２７のＥ−Ｅ断面である。
図２１に示すように、プロジェクタ１の側面の一方（図中左側）にプロジェクタ１内に外気を取り込むための開口した吸気口８４が設けられており、プロジェクタ１の側面の他方（図中右側）にプロジェクタ１内の空気を排気する開口した排気口８５が設けられている。また、排気口８５と対向するように、排気ファン８６が設けられている。
【００８０】
排気口８５と吸気口８４の一部は、プロジェクタ１を投影面１０１に対して直交する方向（Ｘ方向）から見たとき、光源ユニット６０と操作部８３との間となるように設けられている。また、曲面ミラー４２の裏面と、この裏面に対向する外装カバー５９との間には空気が流れることが可能な流路が形成されている。これにより、吸気口８４から取り込まれた外気は、先の図１２に示す第２光学ユニット４０のミラーホルダ４５のＺＹ平面や曲面ミラー４２の裏面にまわりこんで、ミラーホルダ４５や曲面ミラー４２の裏面の曲面に沿いながら、吸気口８５へ向かって移動する（図３０参照）。なお、曲面ミラー４２は上述のとおり正のパワーを持つ凹面形状のミラーであり、曲面ミラー４２の裏面は、表面の形状に概略沿った凸形状である。光源ユニット６０の上部に配置された電源ユニット８０は、図中Ｚ方向から見たとき、光源ユニット６０側の辺のみが無い略四角形のコの字形状をしている。そして、吸気口８４から取り込まれた外気は、ミラーホルダ４５や曲面ミラー４２の裏面の曲面に沿いながら、吸気口８５へ向かい、四方のうちの光源ユニット６０側を除く３方向を電源ユニット８０に囲われた空間へ流れ、排気口８５から排出される。
【００８１】
このように、排気口８５と吸気口８４の一部が、プロジェクタ１を投影面１０１に対して直交する方向（Ｘ方向）から見たとき、光源ユニット６０と操作部８３との間となるように設けることで、光源ユニット６０と操作部８３との間を通って、排気口８５から排出される気流を生じさせることができる。
【００８２】
また、照明ユニット２０のカラーホイール２１を回転駆動させるためのカラーモータ２１ａ（図５参照）の周囲の空気が吸引できるような箇所に光源ブロワ９５が配置されている（図２８参照）。これにより、光源ブロワ９５の吸気により発生する気流でカラーモータ２１ａとライトトンネル２２を冷却することができる。
【００８３】
光源ブロワ９５により吸引された空気は、光源ダクト９６を通って、ホルダ６４の光源給気口６４ｂ（図４参照）へ流入する。また、光源ダクト９６へ流入した空気の一部は、光源ダクト９６の外装カバー５９との対向面に形成された開口部９６ａから光源ハウジング９７と外装カバー５９との間に流れる。
【００８４】
光源ダクト９６の開口部９６ａから光源ハウジング９７と外装カバー５９との間に流れてきた空気は、光源ハウジング９７と外装カバー５９とを冷却した後、排気ファン８６によって排気口８５から排出される。
【００８５】
また、光源流入口６４ｂへと流れた空気は、光源６１へ流入し、光源６１を冷却した後、ホルダ６４の上面に設けられた光源排気口６４ｃから排気される。光源排気口６４ｃから排気された空気は、図２７に示すように、光源ハウジング９７上面の開口部から流体ガイド８７に沿って排気口８５へ向かって流れる。その後、第２光学ユニット４０を周り込んで電源ユニット８０の囲われた空間に流れ込んできた低温の空気と混ざった後、排気ファン８６により排気口８５から排出される。このように、光源排気口６４ｃから排気された高温の空気が、外気と混合させてから、排気することにより、排気口８５から排気される空気が高温となるのを抑制することができる。なお、流体ガイド８７は必ずしも必要ではなく、流体ガイド８７が無くとも、光源排気口６４ｃから排気された高温の空気は、後述するメインＰＦＣ電源基板８０ａとサブＰＦＣ電源基板８０ｂとで囲まれた空間で、曲面ミラー４２の裏面を通って吸気口８４から排気口８５へ向かう空気によって排気口８５から排気される。しかし、流体ガイド８７を用いることで光源排気口６４ｃから排気された高温の空気が直接メインＰＦＣ電源基板８０ａとサブＰＦＣ電源基板８０ｂ付近に向かうことを抑制することができる。しかし、流体ガイドによって、光源排気口６４ｃから排気された高温の空気の全てをメインＰＦＣ電源基板８０ａとサブＰＦＣ電源基板８０ｂから避けようとすると、局面ミラー４２の裏面を通ってきた空気と混ざることなく全ての高温空気が温度を下げることなく排気口８５から排気されるので排気口８５が高温化する。したがって、光源排気口６４ｃから排気され流体ガイド８７を通過した空気はメインＰＦＣ電源基板８０ａとサブＰＦＣ電源基板８０ｂで囲まれた空間を多少なりとも通る方が、確実に吸気口８４から曲面ミラー４２の裏面を通って排気口８５へ向かう空気と混ぜることができる。
【００８６】
また、ユーザーが操作する操作部８３は、ユーザーが操作しやすいように、装置の上面に設けるのが好ましい。しかし、本実施形態においては、プロジェクタ１上面に、投影面１０１に画像を投影するための透過ガラス５１を設けているため、プロジェクタをＹ方向から見たとき、光源６１と重なる位置に、操作部８３を設ける必要がある。
【００８７】
本実施形態においては、光源ユニット６０と操作部８３との間に吸気口８４から排気口８５へ向かって流れる気流で、光源６１を冷却して高温となった空気を、排気口へ向けて排気するので、この高温の空気が、操作部８３へ移動するのを抑制することができる。これにより、光源６１を冷却して高温となった空気で、操作部８３が温度上昇するのを抑制することができる。また、吸気口８４から第２光学ユニット４０を周り込んで、排気口８５へ向かって流れる空気の一部は、操作部８３の真下を通って、操作部８３を冷却する。このことも、操作部８３の温度上昇を抑制することができる。
【００８８】
また、排気ファン８６による吸気により、先の図１９に示したベース部材５３に設けられた電源吸気口５６から外気が吸気される。光源ハウジング９７よりも図中Ｘ方向奥側には、光源６１に安定した電力（電流）を供給するための不図示のバラスト基板が配置されており、電源吸気口５６から吸引された外気は、光源ハウジング９７と不図示のバラスト基板との間を上方へ移動しながら、バラスト基板を冷却する。その後、バラスト基板の上方に配置されている電源ユニット８０で囲われた空間に流れた後、排気ファン８６により排気口８５から排気される。
【００８９】
本実施形態では、吸気口８４から排気口８５へ向かう気流を発生させるファンを、排気ファン８６として、排気側に設けているので、吸気口にファンを設ける場合に比べて、吸気口から装置内に供給される空気の供給量を増やすことができる。これは、吸気口８４にファンを設けた場合、ファンの空気を送り出す方向に、第２光学ユニット４０があるため、第２光学ユニット４０によって、ファンから装置内部へ供給される外気の風量が低下してしまう。一方、排気ファン８６として、排気口８５側にファンを設けた場合、通常、排気口８５よりも排気側には、物体がないので、排気ファン８６から排出される風量が減少することはない。よって、排気ファン８６から排気された排気量と、同じだけの量の空気が吸気口８４から取り入れられるので、結果的に、吸気口から装置内部へ供給される空気の供給量が低下することがない。よって、所定の風圧で、吸気口８４から排気口８５へ向けて空気を流すことができ、光源６１から上昇してきた加熱空気を、吸気口８４から排気口８５への気流で、排気口８５へ良好に向かわせることができる。
【００９０】
また、装置本体の図中左下側には、画像形成ユニット１０のヒートシンク１３や、光源ユニット６０光源ブラケット６２などを冷却する冷却部１２０が配置されている。冷却部１２０は、吸気ブロワ９１、垂直ダクト９２、水平ダクト９３を有している。
【００９１】
吸気ブロワ９１は、吸気口８４の下方に対向配置されており、吸気口８４と対向する面から吸気口８４を介して外気を吸気するとともに、吸気口と対向する面と反対側の面から装置内部の空気を吸気して、吸気ブロワ９１の下方に配置された垂直ダクト９２へ流入する。垂直ダクト９２へ流入した空気は、下方へと移動し、垂直ダクト９２の下方部で連結された水平ダクト９３へ送れられる。
水平ダクト９３内には、ヒートシンク１３が配置されており、水平ダクト９３内を流れる空気がヒートシンク１３に接触してヒートシンク１３から熱を奪うことで、ヒートシンク１３が、水平ダクト９３を流れる空気により冷却される。ヒートシンク１３はフィン構造であり、各フィンの間を空気が流れる。ヒートシンク１３が冷却されることにより、効率よくＤＭＤ１２を冷却することができ、ＤＭＤ１２が、高温になるのを抑制することができる。なお、ヒートシンク１３の熱がベース部材５３に伝わりにくいように、ヒートシンク１３はベース部材５３に接しないように配置されている。また、ヒートシンク１３とベース部材５３との間の空間にも空気が流れるように構成されている。
【００９２】
図３２に示すように、ベース部材５３には、脚部２９が嵌る脚受け部１５が配置されている。脚部２９が脚受け部１５に嵌ることで、脚部２９は、ベース部材５３に繋がる。脚受け部１５は、水平ダクト９３内の流れを妨げないようにするために、また、ヒートシンク１３から放熱された熱を受け取らないようにするために、水平ダクト９３の外部に配置されている。脚部２９および脚受け部１５を水平ダクト９３の外部に配置することで、ヒートシンク１３から放熱された熱が脚部２９を伝わって画像形成部Ａと投影光学部Ｂに伝わることを防止している。また、脚受け部１５は、水平ダクト９３とカバー前面５９ｂとの間に一つ、そして、この一つの脚受け部１５よりもカバー後面側に二つ配置されている。したがって、脚部２９は、照明ブラケット２６に対して、カバー前面５９ｂ側に最も近い脚部２９ａが一つ、この一つの脚部２９ａよりもカバー後面５９ｃ側に二つの脚部２９ｂ配置されている。この二つの脚部２９ｂは、ヒートシンク１３の空気が流れる方向の長さよりも大きな間隔で照明ブラケット２６に配置されている。このように、カバー前面５９ｂ側よりもカバー後面５９ｃ側の方に多くの脚部２９を設け、ヒートシンク１３の空気が流れる方向の長さよりも大きな間隔で２つの脚部２９ｂを設けることで、曲面ミラー４２の重量をバランスよく支えている。また、脚受け部１５の配置からも分かるように、脚部２９ｂの一方から他方を結ぶ直線は、ヒートシンク１３と重なる。脚部２９ｂの一方から他方を結ぶ直線は、ヒートシンク１３と重なるようにしたことで、プロジェクタ１の設置面積が縮小される。なお、本実施の形態では、画像形成部Ａに脚部２９を設け、ベース部材５３に形成された脚受け部１５に嵌めるとしたが、ベース部材５３に脚部を設け、画像形成部Ａに形成された脚受け部１５に嵌めるとしてもよい。
【００９３】
水平ダクト９３内を移動してきた空気は、先の図４に示す光源ユニット６０の光源ブラケット６２に設けられたダクト部６５または開口部６５ａへ流入する。開口部６５ａへ流入した空気は、開閉カバー５４と光源ブラケット６２との間へと流れ、開閉カバー５４を冷却する。
【００９４】
一方、ダクト部６５へ流入した空気は、光源ブラケット６２を冷却した後、光源６１の出射側とは反対側の部分へ流入し、光源６１のリフレクタ６７の反射面とは反対側を冷却することで、光源６１のリフレクタ６７を冷却する。したがって、通過部６５を通過する空気は、光源ブラケット６２と光源６１の両方の熱を奪う。リフレクタ６７付近を通過した空気は、光源ブラケット６２の高さから排気ファン８６の下部付近の高さまでの空気を導く排気ダクト９４を通った後に、光源排気口６４Ｃから排気された空気と合流し、流体ガイド８７を通って、排気口８５へ至る。排気ファン８６により排気口８５から排出される。また、開口部６５ａを通って開閉カバー５４と光源ブラケット６２との間へ流入した空気は、開閉カバー５４を冷却した後、装置内部を移動して、排気ファン８６により排気口８５から排出される。
【００９５】
図２２は、冷却部１２０を、照明ユニット２０および光源ユニット６０とともに示す斜視図であり、冷却部と照明ユニット２０と光源ユニット６０との配置関係は、図示のようになっている。
【００９６】
図２３は、図２２の断面図であり、吸気ブロワ９１から流入した空気は、図示の矢印Ｋ０、Ｋ１、Ｋ３のように流れる。
【００９７】
図２４は、ベース部材５３と水平ダクト９３と光源ブラケット６２を示す斜視図である。
図に示すように、水平ダクト９３は、プロジェクタ１のベース部材５３に固定されており、その上面の一部が開口している。この開口部に画像形成ユニット１０のヒートシンク１３が貫通するように、画像形成ユニットが水平ダクト９３上に配置される。
【００９８】
図２５は、水平ダクト９３から光源ブラケット６２への空気の流れを、下側から見た図であり、図２６は、上側から見た図である。
図２５、図２６に示すように、水平ダクト９３内を移動してきた空気は、光源ユニット６０の光源ブラケット６２に設けられたダクト部６５または開口部６５ａへ流入する。開口部６５ａへ流入した空気は、開閉カバー５４と光源ブラケット６２との間へと流れ、開閉カバー５４を冷却する。
【００９９】
先の図２２に示すように、照明ユニット２０の画像形成ユニット１０、第１光学ユニット３０、第２光学ユニット４０の重量を支える脚部２９により、水平ダクト９３を、照明ユニット２０の下方へ配置することができるスペースが確保できることがわかる。これにより、水平ダクト９３内に放熱部たるヒートシンク１３を配置することができ、ヒートシンク１３を空冷することができる。これにより、ＤＭＤ１２を良好に冷すことができ、ＤＭＤ１２の温度上昇を抑制することができる。
【０１００】
本実施形態においては、画像形成部Ａ（照明ユニット２０の照明ブラケット２６）に脚部を設けているが、例えば、投影光学部Ｂに脚部を設けてもよいし、また、土台部としてのベース部材５３に脚部を設けてもよい。この場合、ベース部材５３から鉛直方向上方に延びる脚部を複数本設け、画像形成部Ａ（照明ユニット２０）を、これら脚部の上面に積載固定する。
【０１０１】
本実施形態においては、上述したように、複数の脚部２９で画像形成部Ａと投影光学部Ｂを支持することで、外装カバー５９で支持する場合に比べて、簡単な構成で良好に画像形成部Ａと投影光学部Ｂとを支えることができる。これにより、外装カバー５９で画像形成部Ａと投影光学部Ｂとを支持する場合に比べて、装置を安価にすることができる。
【０１０２】
また、本実施形態においては、画像形成部Ａ（照明ユニット２０と画像形成ユニット１０との一体物）に投影光学部Ｂ（第１光学ユニット３０と第２光学ユニット４０とからなる一体物）を位置決め固定し、画像形成部Ａの脚部で、画像形成部Ａと投影光学部Ｂとを支持しているが、画像形成部Ａを支える脚部と、投影光学部Ｂを支える脚部とを別々に設けてもよい。この場合、画像形成部Ａを支える脚部は、放熱部としてのヒートシンク１３を土台部としてのベース部材５３と画像形成素子としてのＤＭＤ１２との間に配置できるスペースが確保できるよう脚部を形成する。投影光学部Ｂを支える脚部は、画像形成部Ａの上方に投影光学部Ｂが配置されるよう、脚部を形成する。
【０１０３】
また、画像形成部Ａおよび投影光学部Ｂの重量を３点以上で支えることで、安定的に画像形成部Ａおよび投影光学部Ｂを支持することができ好ましい。また、脚部２９は、２本でも、画像形成部Ａおよび投影光学部Ｂを３点以上で支持することができる。具体的には、照明ユニット２０のＸ方向手前側にベース部材５３に延びる棒状の脚部を設け、Ｘ方向奥側に、ベース部材５３に延びる板状の脚部として、棒状の脚部と板状の脚部の２本で画像形成部Ａと投影光学部Ｂとを支持するのである。この場合も、棒状の脚部と、少なくとも板状の脚部のベース部材に当接している両端部の３点で、画像形成部Ａおよび投影光学部Ｂを支持することになり、３点以上で、画像形成部Ａと投影光学部Ｂとを支持することになる。
また、本実施形態のように、３本の脚部で支持することにより、４本以上の脚部で支持する場合に比べて、ガタつくことなく安定的に画像形成部Ａと投影光学部Ｂとを支持することができる。
【０１０４】
以上に説明したものは一例であり、本発明は、次の（１）〜（６）態様毎に特有の効果を奏する。
（１）
光源部（光源ユニット６０）と、前記光源部からの光を用いて画像を形成する画像形成部（画像形成部Ａ）と、前記画像形成部に設けられ、前記画像形成部の熱を放熱する放熱部（ヒートシンク１３）とを備え、前記画像形成部で形成された画像を投影する画像投影装置において、当該装置本体を設置面に設置すべく、該設置面に対向する第１の部材（ベース部材５３）と、前記第１の部材の前記設置面の反対側であって、前記第１の部材との間に空間を隔てて前記画像形成部を保持する脚部２９とを有し、前記脚部は、前記放熱部が前記空間内に位置し且つ前記第１の部材に接触しないように、前記画像形成部を保持している。
かかる構成を備えることで、実施形態で説明したように、ヒートシンク１３をベース部材５３と接しないように、画像形成部Ａとベース部材５３との間に配置できる。また、画像形成部Ａの重量を、脚部２９を介してベース部材５３で受けることになり、カバー前面５９ｂもしくはカバー後面５９ｃで受ける場合と比較して、要求される強度が小さくなる。
【０１０５】
（２）
また、上記（１）に記載の態様の画像投影装置において、前記放熱部から前記光源部に空気を導く流路（水平ダクト９３）を備え前記放熱部は前記流路内を流れる空気に接するように配置され、前記脚部は前記流路内を流れる空気に接しないように配置されている。
かかる構成を備えることにより、ヒートシンク１３で放熱された熱を脚部２９が受け取り画像形成部Ａに伝わる虞がなくなる。
【０１０６】
（３）
また、上記（１）または（２）に記載の態様の画像投影装置において、前記画像形成部で形成された画像の投影像を形成する投影光学部（投影光学部Ｂ）を備え、設置面側から、前記放熱部、前記画像形成部、前記投影光学部の順に配置され、前記脚部２９で、前記画像形成部と前記投影光学部とを支えるようにした。
これにより、カバー前面５９ｂもしくはカバー後面５９ｃに要求される強度がさらに小さくなる。
【０１０７】
（４）
また、上記（３）に記載の態様の画像投影装置において、前記画像形成部に前記投影光学部が位置決め固定されるものであり、前記脚部２９を、前記画像形成部に設けた。
かかる構成を備えることで、前記脚部２９で、前記画像形成部と前記投影光学部とを支えることができる。
【０１０８】
（５）
また、上記（１）乃至（４）いずれかに記載の態様の画像投影装置において、前記流路に空気を送って、前記放熱部から前記光源部に向かう空気の流れを生じさせる送風手段（吸気ブロワ９１）を設けた。
かかる構成を備えることで、流路内に空気の流れを生じさせることができ、ヒートシンク１３などの放熱部の温度上昇を抑制することができ、ＤＭＤ１２などの画像生成素子を良好に冷却することができる。
【０１０９】
（６）
また、上記（１）乃至（５）いずれかに記載の態様の画像投影装置において、投射光学部Ａを、画像形成部Ｂの上部に配置し、光源６１と画像形成部Ａとを投影画像の面と平行な方向に並べて配置しており、投影面に投影された投影画像の面と平行な方向に並べて配置した。
かかる構成とすることで、装置の投影面に投影された投影画像の面の対して直交する方向の長さを短くすることができる。これにより、装置の設置スペースが投影画像の面に対して直交する方向に取られるのを抑制することができる。これにより、画像投影装置を机などの上に載せて使用する場合、狭い室内においても装置が、机や椅子の配置の邪魔になるのを抑制することができる。また、画像投影装置を天井などに吊り下げて使用する場合、画像投影装置を天井に設置するときに、天井に配置された照明器具などと干渉するのを抑制することができ、所定の位置に画像投影装置を設置することができる。これにより、利便性の高い画像投影装置を提供することができる。
【符号の説明】
【０１１０】
１：プロジェクタ
１０：画像生成ユニット
１１ａ：ソケット
１１：ＤＭＤボード
１２：ＤＭＤ
１３：ヒートシンク
１４：固定部材
１５：脚受け部
２０：照明ユニット
２１：カラーホイール
２２：ライトトンネル
２３：リレーレンズ
２４：シリンダミラー
２５：凹面ミラー
２６：照明ブラケット
２６ａ１〜２６ａ３：光源被位置決め部
２６ｃ１〜２６ｃ４：貫通孔
２６ｄ：照射用貫通孔
２６ｅ１,２６ｅ２：位置決め孔
２６ｆ：位置決め突起
２７：ＯＦＦ光板
２８：照明カバー
２９：脚部
２９ａ：カバー前面に近い脚部
２９ｂ：カバー後面に近い脚部
３０：第１光学ユニット
３１：投影レンズユニット
３２：レンズホルダー
３２ａ１〜３２ａ４：脚部
３２ｂ１〜３２ｂ４：被位置決め突起
３２ｃ１〜３２ｃ４：ネジ貫通孔
３２ｄ１〜３２ｄ４：第２光学ユニット位置決め突起
３３：フォーカスレバー
３４：レバーギヤ
３５：アイドラギヤ
３６：フォーカスギヤ
４０：第２光学ユニット
４１：折り返しミラー
４２：曲面ミラー
４３：ミラーブラケット
４４：自由ミラーブラケット
４５：ミラーホルダー
４５ａ１〜４５ａ４：ネジ止め部
４６：ミラー押さえ部材
４７：ガラス押さえ部材
４９：自由ミラー押さえ部材
５１：透過ガラス
５３：ベース部材
５３ｃ：光源ユニット取り出し口
５３ｄ：切り欠き
５３ｅ：被引っ掛け部
５４：開閉カバー
５４ａ：回転操作部
５９：外装カバー
５９ａ：カバー上面
５９ｂ：カバー前面
５９ｃ：カバー後面
５９ｄ：カバー側面
６０：光源ユニット
６１：光源
６２：光源ブラケット
６２ａ：コネクタ部
６４：ホルダ
６４ａ１〜６４ａ３：光源位置決め部
６４ｂ：流入口
６４ｃ：排気口
６５：ダクト部
６５ａ：開口部
７０：第１光学系
８０：電源ユニット
８３：操作部
８４：吸気口
８５：排気口
８６：排気ファン
９１：吸気ブロワ
９２：垂直ダクト
９３：水平ダクト
９４：排気ダクト
９５：光源ブロワ
９６：光源ダクト
１００：テーブル
１０１：投影面
１０５：天井
１０６：照明器具
Ａ：画像形成部
Ｂ：投影光学部
【先行技術文献】
【特許文献】
【０１１１】
【特許文献１】特開２００８−１３４４３２号公報
【図１】
2015121811.tif 000003
【図２】
2015121811.tif 000004
【図３】
2015121811.tif 000005
【図４】
2015121811.tif 000006
【図５】
2015121811.tif 000007
【図６】
2015121811.tif 000008
【図７】
2015121811.tif 000009
【図８】
2015121811.tif 000010
【図９】
2015121811.tif 000011
【図１０】
2015121811.tif 000012
【図１１】
2015121811.tif 000013
【図１２】
2015121811.tif 000014
【図１３】
2015121811.tif 000015
【図１４】
2015121811.tif 000016
【図１５】
2015121811.tif 000017
【図１６】
2015121811.tif 000018
【図１７】
2015121811.tif 000019
【図１８】
2015121811.tif 000020
【図１９】
2015121811.tif 000021
【図２０】
2015121811.tif 000022
【図２１】
2015121811.tif 000023
【図２２】
2015121811.tif 000024
【図２３】
2015121811.tif 000025
【図２４】
2015121811.tif 000026
【図２５】
2015121811.tif 000027
【図２６】
2015121811.tif 000028
【図２７】
2015121811.tif 000029
【図２８】
2015121811.tif 000030
【図２９】
2015121811.tif 000031
【図３０】
2015121811.tif 000032
【図３１】
2015121811.tif 000033
【図３２】
2015121811.tif 000034
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
画像を形成する画像形成部と、前記画像形成部で形成された画像を投影する投影光学部とを含んでなる構造体を備えた光学ユニットにおいて、
前記構造体が設置面側から前記画像形成部、前記投影光学部の順になるように、前記構造体を前記設置面に設置する支持部を備えることを特徴とする光学ユニット。
【請求項２】
請求項１に記載の光学ユニットにおいて、
前記支持部は脚部であることを特徴とする光学ユニット。
【請求項３】
請求項２に記載の光学ユニットにおいて、
前記投影光学部は反射面が被投影面に対向する曲面鏡を備え、
前記被投影面に近い側よりも前記被投影面に遠い側の方が多くの前記脚部が配置されていることを特徴とする光学ユニット。
【請求項４】
画像を形成する画像形成部と前記画像形成部で形成された画像を投影する投影光学部とを含んでなる構造体とを備えた画像投影装置において、
装置本体が設置される設置面に対向する対向部と、前記構造体が前記対向部側から前記画像形成部、前記投影光学部の順になるように、前記構造体を前記対向部に設置する支持部とを備えることを特徴とする画像投影装置。
【請求項５】
請求項４に記載の画像投影装置において、
前記支持部は脚部であることを特徴とする画像投影装置。
【請求項６】
請求項５に記載の画像投影装置において、
前記投影光学部は反射面が被投影面に対向する曲面鏡を備え、
前記被投影面に近い側よりも前記被投影面に遠い側の方が多くの前記脚部が配置されていることを特徴とする画像投影装置。
【手続補正３】
【補正対象書類名】明細書
【補正対象項目名】０００１
【補正方法】変更
【補正の内容】
【０００１】
本発明は、光学ユニットおよび画像投影装置に関するものである。
【手続補正４】
【補正対象書類名】明細書
【補正対象項目名】０００８
【補正方法】変更
【補正の内容】
【０００８】
本発明は以上の課題に鑑みなされたものであり、その目的は、画像形成部や投影光学部などの光学要素を装置本体の設置面に対して垂直な方向に配置する場合に加重のバランスが良い光学ユニットおよび画像投影装置を提供することである。
【手続補正５】
【補正対象書類名】明細書
【補正対象項目名】０００９
【補正方法】変更
【補正の内容】
【０００９】
上記目的を達成するために、請求項１の発明は、画像を形成する画像形成部と、前記画像形成部で形成された画像を投影する投影光学部とを含んでなる構造体を備えた光学ユニットにおいて、前記構造体が設置面側から前記画像形成部、前記投影光学部の順になるように、前記構造体を前記設置面に設置する支持部を備えることを特徴とするものである。
また、請求項４の発明は、画像を形成する画像形成部と前記画像形成部で形成された画像を投影する投影光学部とを含んでなる構造体とを備えた画像投影装置において、
装置本体が設置される設置面に対向する対向部と、前記構造体が前記対向部側から前記画像形成部、前記投影光学部の順になるように、前記構造体を前記対向部に設置する支持部とを備えることを特徴とするものである。
【手続補正６】
【補正対象書類名】明細書
【補正対象項目名】００１０
【補正方法】変更
【補正の内容】
【００１０】
請求項１、４の発明によれば、画像形成部や投影光学部などの光学要素を装置本体の設置面に対して垂直な方向に配置する場合に加重のバランスが良い画像投影装置を提供することが可能となる。
【手続補正７】
【補正対象書類名】明細書
【補正対象項目名】００１１
【補正方法】変更
【補正の内容】
【００１１】
【図１】本実施形態に係るプロジェクタと投影面とを示す斜視図。
【図２】プロジェクタから投影面までの光路図。
【図３】プロジェクタの内部構成を示す概略斜視図。
【図４】光源ユニットの概略斜視図。
【図５】照明ユニットに収納された光学系部品を、他のユニットとともに示す斜視図。
【図６】照明ユニットと投影レンズユニットと画像形成ユニットとを図５のＡ方向から見た斜視図。
【図７】照明ユニット内での光の光路を説明する図。
【図８】画像形成ユニットの斜視図。
【図９】第１光学ユニットを、照明ユニットと画像形成ユニットとともに示す斜視図。
【図１０】図９のＡ−Ａ断面図。
【図１１】第２光学ユニットが保持する第２光学系を、投影レンズユニットと照明ユニットと画像形成ユニットとともに示す斜視図
【図１２】第２光学ユニットを、第１光学ユニット、照明ユニット、画像形成ユニットとともに示す斜視図。
【図１３】第１光学系から投影面までの光路を示す斜視図。
【図１４】装置内の各ユニットの配置関係を示した模式図。
【図１５】本実施形態のプロジェクタの使用例を示す図。
【図１６】光源と照明ユニットとを投影面に対して直交する方向に配置したプロジェクタの使用例を示す図。
【図１７】図１６とは異なる従来のプロジェクタの使用例を示す図。
【図１８】本実施形態のプロジェクタの別の使用例を示す図。
【図１９】プロジェクタを設置面側見た斜視図。
【図２０】開閉カバー５４を装置から取り外した様子を示す斜視図。
【図２１】プロジェクタ内の空気の流れを説明する説明図。
【図２２】ＤＭＤなどを冷却する冷却部を、照明ユニットおよび光源ユニットともに示す斜視図。
【図２３】図２２の断面図。
【図２４】水平ダクトと光源ユニットとベース部材とを示す斜視図。
【図２５】水平ダクトから光源ブラケットへの空気の流れを、下側から見た図。
【図２６】水平ダクトから光源ブラケットへの空気の流れを、上側から見た斜視図。
【図２７】図２１で示した構成をより具体的に示した図。
【図２８】図２７のＡ−Ａ断面図。
【図２９】図２７のＢ−Ｂ断面図。
【図３０】図２７のＣ−Ｃ断面図。
【図３１】図２７のＤ−Ｄ断面図。
【図３２】図２７のＥ−Ｅ断面図。
【手続補正８】
【補正対象書類名】明細書
【補正対象項目名】００６５
【補正方法】変更
【補正の内容】
【００６５】
図１５は、本実施形態のプロジェクタ１の使用例を示す図であり、図１６、従来のプロジェクタ１Ａの使用例を示す図であり、図１７は、光源６０と照明ユニット２０とを投影面１０１に対して直交する方向に並べて配置したプロジェクト１Ｂの使用例を示す図である。
図１５〜図１７に示すように、プロジェクタ１は、例えば会議室などで使用する場合、プロジェクタ１をテーブル１００に置いてホワイトボードなどの投影面１０１に画像を投影して使用される。
【手続補正９】
【補正対象書類名】明細書
【補正対象項目名】０１０４
【補正方法】変更
【補正の内容】
【０１０４】
以上に説明したものは一例であり、次の（１）〜（６）態様毎に特有の効果を奏する。
（１）
光源部（光源ユニット６０）と、前記光源部からの光を用いて画像を形成する画像形成部（画像形成部Ａ）と、前記画像形成部に設けられ、前記画像形成部の熱を放熱する放熱部（ヒートシンク１３）とを備え、前記画像形成部で形成された画像を投影する画像投影装置において、当該装置本体を設置面に設置すべく、該設置面に対向する第１の部材（ベース部材５３）と、前記第１の部材の前記設置面の反対側であって、前記第１の部材との間に空間を隔てて前記画像形成部を保持する脚部２９とを有し、前記脚部は、前記放熱部が前記空間内に位置し且つ前記第１の部材に接触しないように、前記画像形成部を保持している。
かかる構成を備えることで、実施形態で説明したように、ヒートシンク１３をベース部材５３と接しないように、画像形成部Ａとベース部材５３との間に配置できる。また、画像形成部Ａの重量を、脚部２９を介してベース部材５３で受けることになり、カバー前面５９ｂもしくはカバー後面５９ｃで受ける場合と比較して、要求される強度が小さくなる。
また、設置面に垂直な面に画像形成部を固定する構成に比べて、設置面に垂直な面の強度を配慮することなく、画像形成部と対向部材との間に、放熱部を配置することが可能となる。